(57)【要約】【課題】操作性が飛躍的に向上し、生体組織採取を短時間で正確かつ迅速に行うことができ、患者への治療性を格段に増強し得る医療用処置具を提供する。【解決手段】ロングシース１１を進退操作するに伴い、心臓心室Ｈ内で所望の生体組織採取位置にセットし、その後、手元操作部１のワイヤ７を操作して、採取カップ９を開閉動作させて心臓心室中隔Ｊの生体組織を採取する。この時、処置具シース８の先端部８ａにおける付形形状を可変となしているため、心臓心室中隔Ｊ近傍の生体組織を広い範囲にわたって採取することができる。処置具シース８を内部に納めたロングシース１１は、心臓心室Ｈ内部の形状に沿うように曲成変形することにより、心室壁等を傷つけることがなく、心臓心室Ｈ内部で処置具シース８の進退操作を容易にすることができる。【選択図】図１
2006247148.tif 000002
【特許請求の範囲】
【請求項１】
処置具シース内に芯線を貫装して、手元操作部で前記芯線を押し引き操作させることにより先端処置具を開閉動作させる医療用処置具において、
前記処置具シースにロングシースを外装するとともに、前記ロングシースの先端部及び前記処置具シースの先端部を、前記ロングシースの先端部の曲率半径が前記処置具シースの先端部の曲率半径よりも大となる関係に付形し、
前記ロングシースの進退操作により、前記処置具シースの先端部における付形形状を可変とすることを特徴とする医療用処置具。
【請求項２】
処置具シース内に芯線を貫装して、手元操作部で前記芯線を押し引き操作させることにより先端処置具を開閉動作させるとともに、前記芯線と前記処置具シースとの間に中空パイプを貫装して進退可能な手元操作部となし、
前記処置具シースの先端部における付形形状を前記中空パイプの進退操作により可変とすることを特徴とする医療用処置具。
【請求項３】
請求項２に記載の医療用処置具において、前記処置具シースにロングシースを外装するとともに、前記ロングシースの先端部及び前記処置具シースの先端部を、前記ロングシースの先端部の曲率半径が前記処置具シースの先端部の曲率半径よりも大となる関係に付形し、
前記中空パイプの進退操作により、前記処置具シースの先端部における付形形状を可変とすることを特徴とする医療用処置具。
【請求項４】
請求項１または請求項２に記載の医療用処置具において、前記処置具シースに前記ロングシースを外装して、前記ロングシースの手元端に回転・位置保持機構を設けて前記手元操作部を所望の位置にセット保持できるようにしたことを特徴とする医療用処置具。
【請求項５】
請求項１ないし請求項３のいずれか１つに記載の医療用処置具において、前記処置具シースは、断面略円形のコイル素線と中心部に向かって先細り状の傾斜辺を有する断面略三角形のコイル素線とが交互に隣接する中空コイル体の構造であることを特徴とする医療用処置具。
【請求項６】
請求項４に記載の医療用処置具において、前記処置具シースは、断面略円形のコイル素線と中心部に向かって先細り状の傾斜辺を有する断面略三角形のコイル素線とが交互に隣接する中空コイル体の構造であることを特徴とする医療用処置具。
【請求項７】
請求項１ないし請求項３のいずれか１つに記載の医療用処置具において、前記処置具シースは、断面略半円形のコイル素線と中心部に向かう二等辺部に凹みを有する略二等辺三角形状のコイル素線とが係着するように交互に組み合わされた構造であることを特徴とする医療用処置具。
【請求項８】
請求項４に記載の医療用処置具において、前記処置具シースは、断面略半円形のコイル素線と中心部に向かう二等辺部に凹みを有する略二等辺三角形状のコイル素線とが係着するように交互に組み合わされた構造であることを特徴とする医療用処置具。
【請求項９】
請求項１ないし請求項３のいずれか１つに記載の医療用処置具において、前記処置具シースの構造は、手元側に設けた中空撚線コイル体と、先端部側に位置して断面略円形のコイル素線と中心部に向かって先細り状の傾斜辺を有する断面略三角形のコイル素線とが交互に隣接する中空コイル体との連結形態からなることを特徴とする医療用処置具。
【請求項１０】
請求項４に記載の医療用処置具において、前記処置具シースの構造は、手元側に設けた中空撚線コイル体と、先端部側に位置して断面略円形のコイル素線と中心部に向かって先細り状の傾斜辺を有する断面略三角形のコイル素線とが交互に隣接する中空コイル体との連結形態からなることを特徴とする医療用処置具。
【請求項１１】
請求項１０に記載の医療用処置具において、前記中空撚線コイル体は、断面略半円形のコイル素線と中心部に向かう二等辺部に凹みを有する略二等辺三角形状のコイル素線とが係着するように交互に組み合わされた構造であることを特徴とする医療用処置具。
【請求項１２】
請求項１ないし請求項３のいずれか１つに記載の医療用処置具において、前記処置具ケースの先端に開閉可能に設けた採取カップの開口方向に対して略直交するように前記処置具ケースの先端部側を略弓形に付形したことを特徴とする医療用処置具。
【請求項１３】
請求項１ないし請求項３のいずれかに記載の医療用処置具において、前記処置具シースの先端部側を略スパイラル立体形状に付形したことを特徴とする医療用処置具。
【請求項１４】
請求項１または請求項３に記載の医療用処置具において、先端部が付形された前記ロングシースと前記処置具シースとの合体曲成形状が生体組織採取部位の曲成形状と概ね平行する状態に設定されたことを特徴とする医療用処置具。
【請求項１５】
請求項１３に記載の医療用処置具において、先端部が付形された前記ロングシースと前記処置具シースとの合体曲成形状が生体組織採取部位の曲成形状と概ね平行する状態に設定されたことを特徴とする医療用処置具。
【発明の詳細な説明】
【技術分野】
【０００１】
この発明は、処置具シースに外装したロングシースを用いて生体組織採取部位へ組織採取のために経皮挿入する医療用処置具に関する。
【背景技術】
【０００２】
近年、心臓心室等の生体組織を採取して病気の治療を早期に行う医療用処置具が病院に備えられるようになっている。この際、医療用処置具を体内に挿入するにあたっては、操作性の向上や患者への負担軽減に考慮が払われている。とりわけ、医療用処置具の先端部における可変構造体で、単条密着巻きコイルスプリング体からなるシース構造が生体組織採取に及ぼす機能不良を改善することが重要である。すなわち、単条密着巻きコイルスプリング体を屈曲変形させると、その外周側は伸長してコイル素線の相互間に隙間が生じる。この状態で芯線をプッシュ操作すると、隙間が生じた部分に反力が吸収されてストローク不足を起こす機能不良がある。
【０００３】
医療用処置具の中には、電極カテーテル（例えば特許文献１）、内視鏡用処置具（例えば特許文献２）、偏向型カテーテル（例えば特許文献３）や超音波用穿刺針（例えば特許文献４）など各種の医療器具が登場している。
特許文献１の電極カテーテルでは、超弾性線材を用いて先端部を曲がり部として一定形状に形状記憶処理した芯材の外装に、中空状の曲がり規制体を介装し、かつ、これらを可撓性中空チューブ体内に挿入し、先端部のチューブ体の曲がりを調整している。
【０００４】
特許文献２の内視鏡用処置具では、シースの先端部を一定形状に湾曲させ、かつ、湾曲部より硬質部材をシース内に挿入して進退させることにより先端部を可変構造にした片手操作形のものに構成している。
特許文献３の偏向型カテーテルでは、先端部にワイヤロープを接続させて手元部を操作することにより、先端部の形状を可変して片手で操作できるようにしている。
【０００５】
特許文献４の超音波用穿刺針では、針管に加工パターンに基づいて複数の円環状の溝をＹＡＧレーザーなどで形成し、超音波の入射に対して多くの反射エコーが得られる構成にしている。
【特許文献１】特開２００２−１９１５７１号公報
【特許文献２】特開２００２−２５３５６３号公報
【特許文献３】特表平９−５０４４４５号公報
【特許文献４】特開２００４−１８１０９５号公報
【発明の開示】
【発明が解決しようとする課題】
【０００６】
ところが、特許文献１では、先端部の形状を調整する電極カテーテルを内容とする改良であり、単条密着巻きコイルスプリング体からなるシース構造の欠点を解消する手段はなく、生体組織採取時の操作性を大幅に向上させる構成も記載されていない。
また、特許文献２では、内視鏡用処置具の記載例が示されているだけで、単条密着巻きコイルスプリング体からなるシース構造の欠点を解消する施策はなく、生体組織採取システム構成については何らの記載もない。
【０００７】
また、特許文献３では、偏向型カテーテルにおける先端部の形状を可変にする記載はあるものの、特許文献２と同様にシース構造の欠点を解消する点や生体組織採取システム構成については言及されていないものである。
さらに、特許文献４では、体腔内組織や体液の採取時、超音波観察画像上に針管画像を明瞭に描出するようにしているものの、単条密着巻きコイルスプリング体の欠点を解消する構成がないのは特許文献１〜３と同様である。
【０００８】
この発明は上記の事情を考慮してなされたもので、その目的は生体組織採取を正確かつ短時間で迅速に行うことにより、操作性を飛躍的に向上させることができ、患者への苦痛を大幅に軽減できて治療性を格段に増強し得る高性能な医療用処置具を提供するにある。
【課題を解決するための手段】
【０００９】
請求項１に記載の発明では、処置具シース内に芯線を貫装して、手元操作部で芯線を押し引き操作させることにより先端処置具を開閉動作させる医療用処置具において、処置具シースにロングシースを外装するとともに、ロングシースの先端部及び処置具シースの先端部を、ロングシースの先端部の曲率半径が処置具シースの先端部の曲率半径よりも大となる関係に付形し、ロングシースの進退操作により、処置具シースの先端部における付形形状を可変としたことを特徴とする。
【００１０】
ロングシースを進退操作するに伴い、例えば心臓心室内で所望の生体組織採取位置にセットし、その後、手元操作部の芯線を操作して、先端処置具を開閉動作させて心室中隔位置に生体組織を採取する。この時、処置具シースの先端部における付形形状を可変となしているため、心臓心室中隔近傍の生体組織を広い範囲にわたって採取することができる。  
【００１１】
また、ロングシースの先端部の曲率半径が処置具シースの先端部の曲率半径よりも大となるように設定しているので、処置具シースを内部に納めたロングシースは、心臓心室内部の形状に沿うように曲成変形することにより、心室壁等を傷つけることがなく、心臓心室内部で処置具シースの進退操作を容易にすることができる。このため、生体組織採取を正確かつ短時間で迅速に行うことができ、患者への苦痛を大幅に軽減できて効果的な治療性を格段に向上させ得る。
【００１２】
請求項２に記載の発明では、処置具シース内に芯線を貫装して、手元操作部で芯線を押し引き操作させることにより先端処置具を開閉動作させるとともに、芯線と処置具シースとの間に中空パイプを貫装して進退可能な手元操作部となしている。処置具シースの先端部における付形形状を中空パイプの進退操作により可変にしたことを特徴とする。
【００１３】
この場合、処置具シースの可変は、芯線と処置具シースとの間に貫装した中空パイプの進退操作により行われる構造となっている。このため、ロングシースの進退操作と異なり、ロングシースの位置に影響されることなく、処置具シースが単独で直線上に生体組織採取位置の深部へ侵入することが可能となり、狭い採取空間内でも一定の剛性を保持しながら前進するようになる。これにより、請求項１と同様に、生体組織採取を正確かつ短時間で迅速に行うことができ、患者への苦痛を大幅に軽減して効果的な治療性を格段に増強し得る。
【００１４】
請求項３に記載の発明では、処置具シースにロングシースを外装するとともに、ロングシースの先端部及び処置具シースの先端部を、ロングシースの先端部の曲率半径が処置具シースの先端部の曲率半径よりも大となる関係に付形し、中空パイプの進退操作により処置具シースの先端部における付形形状を可変としたことを特徴とする。
ロングシースの先端部の曲率半径が処置具シースの先端部の曲率半径よりも大になるように設定しているので、処置具シースを内部に納めたロングシースは、心臓心室内部の形状に沿うように曲成変形し、心室壁等を傷つけることがなく心臓心室内部で医療用処置具の進退操作を容易にすることができる。
【００１５】
請求項４に記載の発明では、処置具シースにロングシースを外装して、ロングシースの手元端に回転・位置保持機構を設けて手元操作部を所望の位置にセット保持できるようにしたことを特徴とする。
回転・位置保持機構がセットロック手段として機能し、処置具シースの先端部を生体組織の採取に都合のよい箇所で回転・位置保持することが可能になり、正確で迅速な生体組織採取を行うことができる。
【００１６】
請求項５および請求項６に記載の発明における処置具シースは、断面略円形のコイル素線と中心部に向かって先細り状の傾斜辺を有する断面略三角形のコイル素線とが交互に隣接する中空コイル体の構造であることを特徴としている。
この場合、中空コイル体の屈曲時、単条密着巻きコイルスプリング体と異なり、隣接するコイル素線間で微少相対滑り移動が生じ、中空コイル体の外周側においても隣接するコイル素線間に隙間が生じることがない。このため、中空コイル体の屈曲度合いが大きくなっても、手元操作部によるストロークが不足することなく、必要なストローク量が先端処置具に伝わり先端処置具の安定した開閉動作を維持することができる。
【００１７】
隣接するコイル素線間に隙間が生じないことから、手元側操作による反力が処置具シースに加わっても、処置具シースの先端側の揺動変位を最小限に抑え得る。これにより、先端処置具が心臓心室壁を傷つけたり、不用意に過分な生体組織を採取してしまうことがなく、その採取量を一定にすることができる。
【００１８】
また、中空コイル体の屈曲時、コイル素線間に生じる微少相対滑り移動により、中空コイル体の内側では、断面略円形のコイル素線よりも断面略三角形のコイル素線が外側に突き出し、屈曲内側部に沿って凹凸曲面を形成する。この凹凸曲面が反射エコー部となるため、中空コイル体を単に屈曲させるのみで、生体組織を採取する先端処置具を画像上に明瞭に描出することができる。そして、円環状の溝をＹＡＧレーザーで凹状加工をする特許文献４と異なり、中空コイル体の屈曲時に自動的に生じるので、反射エコー部を形成するための加工が不要となる。
【００１９】
請求項７および請求項８に記載の発明における処置具シースは、断面略半円形のコイル素線と中心部に向かう二等辺部に凹みを有する略二等辺三角形状のコイル素線とが係着するように交互に組み合わされた構造であることを特徴としている。
【００２０】
この場合も、処置具シースの屈曲時、隣接するコイル素線間で微少相対滑り移動が生じ、隣接するコイル素線間に隙間が生じることがないので、請求項５および請求項６と同様な効果が得られ、良好なトルク応答性、トルク伝達性及び高い押し込み特性を確保することができる。
【００２１】
請求項９および請求項１０に記載の発明において、処置具シースの構造は、手元側に設けた中空撚線コイル体と、先端部側に位置して断面略円形のコイル素線と中心部に向かって先細り状の傾斜辺を有する断面略三角形のコイル素線とが交互に隣接する中空コイル体との連結形態からなることを特徴とする。
【００２２】
この処置具シースでは、その屈曲時、隣接するコイル素線間で微少相対滑り移動が生じ、隣接するコイル素線間に隙間が生じることがないので、請求項５および請求項６と同様な効果が得られる。また、中空撚線コイル体では、単条密着巻きコイルスプリング体と異なり、多条線の為に先端方向への回転伝達性が高く、屈曲部に不均一な捻じり溜まりを生じさせないので、処置具シースにおける先端部の円滑な回転を実現させることができる。  
【００２３】
請求項１１に記載の発明における中空撚線コイル体は、断面略半円形のコイル素線と中心部に向かう二等辺部に凹みを有する略二等辺三角形状のコイル素線とが係着するように交互に組み合わされた構造であることを特徴としている。
この処置具シースでも、その屈曲時に隣接するコイル素線間で微少相対滑り移動が起きて、請求項５および請求項６と同様に隣接するコイル素線間に隙間が生じないので、ストロークが不足することなく先端処置具の安定した開閉動作を維持することができる。
【００２４】
請求項１２に記載の発明では、処置具シースの先端に開閉可能に設けた採取カップの開口方向に対して略直交するように処置具シースの先端部側を略弓形に付形したことを特徴とする。
このため、採取カップが開口する際、例えば心臓心室中隔に押し当りながら上下に開口移動することがない。これにより、採取カップの開口位置が変動することがなく、かつ心臓心室中隔等の正常組織を傷つけることなく所望の生体組織を正確に採取することができる。
【００２５】
請求項１３に記載の発明では、処置具シースの先端部側を略スパイラル立体形状に付形したことを特徴とする。このため、ロングシース及び処置具シースの進行方向に対する障害物（例えば腱索や乳頭筋の細長部位網等）を避けながら迂回して所望位置にある生体組織を採取することができる。
生体組織の採取部位が曲面形状をなしている場合、その曲面に沿って処置具シースの先端部側を優しい接触状態で移動させて所望の生体組織を採取することができる。
【００２６】
請求項１４および請求項１５に記載の発明では、先端部が付形されたロングシースと処置具シースとの合体曲成形状が生体組織採取部位の曲成形状と概ね平行する状態に設定したことを特徴とする。
このため、ロングシースと処置具シースとが合体した場合、合体後のロングシースと処置具シースは、心臓心室内等の生体組織採取部位の曲成形状に沿って移動する。これにより、ロングシースや処置具シースが心臓心室壁等を傷つけることなく、かつ医療用処置具の進退操作を容易にすることができる。
【発明を実施するための最良の形態】
【００２７】
この発明の医療用処置具では、処置具シースにロングシースを外装し、ロングシースの先端部及び処置具シースの先端部を付形し、この付形によりロングシースの先端部の曲率半径が処置具シースの先端部の曲率半径よりも大となる関係に設定している。これにより、ロングシースの進退操作時に処置具シースの先端部における付形形状が可変となるようにしている。
【実施例１】
【００２８】
この発明の実施例１を図１〜３、図８、図１０〜図１４に基づいて説明する。
医療用処置具を示す図１において、手元操作部１は、収納細管２に直交する操作片３を軸方向に摺動可能に嵌合した構造を有する。収納細管２の後端部は、指貫穴４ａを有する固定片４を連結し、操作片３の両端部は操作穴３ａを作動部として形成している。収納細管２には、軸方向に沿って所定のストローク長さを有するスリット５が形成されている。  
【００２９】
操作片３は、スリット５の方向に打ち込まれたピン６により、収納細管２内に収容された芯線としてのワイヤ７の後端部に連結されている。この時、収納細管２の内部に設けられたバネ部材Ｓにより図１（ａ）に矢印Ａで示すように、操作片３及びワイヤ７を後端の手元方向に付勢している。
【００３０】
ワイヤ７は処置具シース８内に貫装されたもので、手元操作部１での押し引き操作により、パンタグラフ式リンク機構｛図７（ｂ）参照｝が働いて一対の採取カップ９を先端処置具として開閉動作させるようになっている｛図１（ｂ）〜（ｅ）参照｝。処置具シース８の中間部には、管状ソケット１０が摺動可能に外装されている。ロングシース１１は、処置具シース８の外部に摺動可能に装着されたもので、後端部１１ｂを管状ソケット１０に連結し、その先端部１１ａを採取カップ９まで延出できるようになっている。
【００３１】
この際、ロングシース１１の先端部１１ａ及び処置具シース８の先端部８ａを、ロングシース１１の先端部１１ａの曲率半径が処置具シース８の先端部８ａの曲率半径よりも大となる関係に付形し、ロングシース１１の進退操作により処置具シース８の先端部８ａにおける付形形状を可変となしている。そして、図１（ｂ）、（ｃ）に示すように、処置具シース８の先端に開閉可能に設けた採取カップ９の開口方向に対して略直交するように処置具シース８の先端部８ａ側を熱処理により略弓形に付形している。
【００３２】
処置具シース８の構造は、図２に示すように、手元側に設けた断面略円形の中空撚線コイル体１７と、先端部８ａ側に位置して断面略円形のコイル素線１８ａと中心部に向かって先細り状の傾斜辺を有する断面略三角形のコイル素線１８ｂとが交互に隣接する中空コイル体１８との連結形態からなる。
【００３３】
ロングシース１１の手元端には、回転・位置保持機構１２をセットロック手段として設けて処置具シース８の先端部８ａ及び採取カップ９を所望の位置にセット保持できるようにしている。すなわち、回転・位置保持機構１２は、図３（ａ）〜（ｄ）に示すようにプラスチック製のロックリングナット１３、割り溝付きの絞り管部１４、中間リングナット１５及び回動リングナット１６を備え、それぞれ処置具シース８に移動調節可能に外装されている｛図１（ａ）参照｝。
【００３４】
中間リングナット１５の径小部１５ａは、ロックリングナット１３に螺合されて、ロックリングナット１３とロックリングナット１３内に嵌め込まれた絞り管部１４との間に差し込まれている。ロックリングナット１３を中間リングナット１５に締め付けることにより、絞り管部１４が縮径して処置具シース８に巻き締まるようになっている。回動リングナット１６は、径小部１６ａを中間リングナット１５の径大部１５ｂ内に螺合させ、径大部１６ｂを管状ソケット１０の後端外周部に螺合させている。
なお、管状ソケット１０の外周部には、回動リングナット１６における径大部１６ｂの雌ねじ部に螺合する微小突起１０ａが一体に形成されており、径小部１６ａには、中間リングナット１５における径大部１５ｂの雌ねじ部に螺合する微小突起１６ｃが一体に形成されている。
【００３５】
なお、処置具シース８の構造は、図４に変形例として示すように、手元側に設けた中空撚線コイル体１７から先端部側に連続する中空コイル体１９は、隣接するコイル素線１９ａ、１９ｂ同士が係着するように異形線が巻回形成されている。すなわち、中空コイル体１９は、隣接する断面略半円形のコイル素線１９ａと中心部に向かう二等辺部に凹みを有する略二等辺三角形状のコイル素線１９ｂとが密着するように交互に組み合わされている。この場合、処置具シース８は、変形例として全長にわたって中空コイル体１８、１９（図５及び図６参照）により構成してもよい。
【００３６】
上記構成において、医療用処置具の操作に先立って先端部１１ａを付形したロングシース１１内に、先端部を熱処理で付形した処置具シース８を挿入により合体させ、合体後の曲成形状が概ね心臓心室Ｈ内の形状に沿う形態とする。具体的には、ロングシース１１は、単体での曲率半径が概ね５０ｍｍで屈曲部が１００°曲げとし、ロングシース１１と処置具シース８との合体後は、曲率半径が概ね８０ｍｍで屈曲部が１３５°曲げとなるように設定する。
【００３７】
医療用処置具の操作時には、心臓心室Ｈのエコーによる超音波画像をモニター（図示せず）で観察しながらロングシース１１の進退操作により、図１（ａ）に示すように処置具シース８の先端部８ａを心臓心室Ｈ内で所望の生体組織採取位置にセットする。その後、ロングシース１１の手元端にある回転・位置保持機構１２を用いて、処置具シース８の先端部８ａが所望にセットされた位置にセット保持する。この状態で、手元操作部１の操作片３を図１（ａ）の矢印Ａとは反対方向に押して、（プッシュ操作）、ワイヤ７を軸方向に沿って先端部へ摺動させる。これにより、処置具シース８の先端に位置する採取カップ９が開口して心臓心室中隔Ｊに位置する生体組織の一部を挟むことにより採取する。
【００３８】
心臓心室Ｈ内で回転・位置保持機構１２の操作時には、下記の手順を踏む。
（イ）先ず、ロングシース１１内に処置具シース８を挿入し、処置具シース８の先端部８ａをロングシース１１の先端部１１ａから露出しないようにしておく。
（ロ）この状態で、ロックリングナット１３を中間リングナット１５に締め付け、処置具シース８をロングシース１１に仮固定する。この時、管状ソケット１０に回動リングナット１６を固定し、さらに中間リングナット１５を回動リングナット１６に固定している。（ハ）ついで、ロングシース１１を処置具シース８と一体的に進退・回転させて、ロングシース１１における先端部１１ａの曲成形状部を心臓心室中隔Ｊの方向に向ける。
【００３９】
（ニ）そして、ロックリングナット１３を緩めて、処置具シース８を進退させたり、または回転させて処置具シース８の先端部８ａの屈曲度合い等を生体組織採取位置に合致させる。この後、ロックリングナット１３を締め付けて処置具シース８を固定する。
（ホ）手元操作部１を押して、ワイヤ７を介して採取カップ９を開き、心臓心室中隔Ｊの生体組織採取を行う。
（ヘ）生体組織を採取する位置を変更する場合、ロックリングナット１３を一時的に緩めて処置具シース８を進退させたり、または回転させたりして心臓心室中隔Ｊに対する採取位置を所望にセットする。セット後は、（ホ）で述べたものと同様な手順を繰り返す。
【００４０】
心臓心室Ｈ内で生体組織の採取位置を変える際、回転・位置保持機構１２を緩めて処置具シース８に対するロックを解除したうえで、ロングシース１１の摺動変位を行って心臓心室中隔Ｊの同一操作直線上に沿って処置具シース８の先端部８ａの長さを所望に調節する。ロックリングナット１３の回転動作により、処置具シース８の先端部８ａを操作直線と直交する方向で所望の位置にセット調節することができる。
【００４１】
セット調節後に回転・位置保持機構１２によりロングシース１１の摺動変位及び処置具シース８の回転変位をロックする。この状態で、前述と同様に手元操作部１の操作片３をプッシュ操作し、ワイヤ７を摺動させ、採取カップ９により心臓心室中隔Ｊに位置する別の生体組織を採取する。
【００４２】
このため、上記構成では下記の作用効果が得られる。
すなわち、先端部１１ａを付形したロングシース１１内に、先端部８ａを熱処理で付形した処置具シース８を挿入により合体させ、合体後の曲成形状が概ね心臓心室Ｈ内の形状に沿う形態としている。これにより、心臓心室壁などを傷つけることなく迅速かつ容易にロングシース１１の進退操作を行うことができる。
【００４３】
また、ロングシース１１の進退操作に伴い、処置具シース８における先端部８ａの付形形状を可変とし、回転・位置保持機構１２によりロングシース１１の摺動変位及び処置具シース８の回転変位を所望の位置にロックしたので、心臓心室中隔Ｊの近傍に存する生体組織を広範囲に採取することが可能となる。
なお、補足すれば、回転・位置保持機構１２は、従来品における処置具シースの末端部と着脱自在の構造になっており、従来品に装着して使用できる便宜がある。
【００４４】
処置具シース８を断面略円形のコイル素線１８ａと断面略三角形のコイル素線１８ｂとが交互に隣接する中空コイル体１８との連結形態から構成したことから、下記の作用効果が得られる。すなわち、処置具シース８の屈曲度合い（総曲げ角度：Σθ）が増大しても、生体組織採取の操作時、正確で安定した採取カップ９の開口操作を維持することができる。
【００４５】
従来用いていた処置具シース５０は、図７（ａ）に示すように丸線の単条密着巻きコイルスプリング体である。このため、処置具シース５０内を挿通する芯線をワイヤ５１として手元側でプッシュ操作（約７ｍｍ）すると、処置具シース５０がＵ字状の屈曲形態（総曲げ角度Σθ：１８０°）までは、採取カップ５２の開閉動作を行うことができるものの、Ｓ字状の屈曲形態（Σθ：３６０°）になると、採取カップ５２の開閉動作を行うことができなくなる。
【００４６】
この理由としては、処置具シース５０の屈曲動作により、単条密着巻きコイルスプリング体の外周側で隣接するコイル素線間に隙間Ｇが生じるからと考えられる。
この状態で、図７（ｂ）に示すようにワイヤ５１を手元側からプッシュ操作すると、その操作力はパンタグラフ式リンク機構５３から採取カップ５２に伝えられる。この際、プッシュ操作力に基づく反力を受けた処置具シース５０は、コイル素線間に隙間Ｇが生じているため、隙間Ｇにより反力が吸収されて操作ストローク不足が起こる。この操作ストローク不足は、処置具シース５０の屈曲度合に比例して増大するため、とりわけ屈曲度合を大きくした場合、採取カップ５２の開閉動作に支障を来すものと思われる。
【００４７】
これに対して、コイル素線１８ａとコイル素線１８ｂとからなる中空コイル体１８では、図８（ａ）の状態から図８（ｂ）に示すように処置具シース８の屈曲度合いが増しても、コイル素線１８ａ、１８ｂとの間に隙間が生じない。この隙間の存否は、屈曲変位を芯線としてのワイヤ７と処置具シース８のみに単純化して考えると、これらの屈曲時に生じる先端部８ａの変位量δ（δ１、δ２）の多寡として把握することができる｛図８（ｃ）｝。
【００４８】
この観点から本発明の処置具シース８と図７に示す従来の処置具シース５０とを比較すると、図８（ｄ）に示すように、従来の処置具シース５０では、屈曲形態の総曲げ角度Σθが増大するのに伴って、直線状態での芯線７１における露出部の露出長Ｌに変位量δ１が生じる。すなわち、芯線７１における屈曲形態での露出長をＡ１とすると、その変位量δ１は、（Ａ１−Ｌ）となって芯線７１が処置具シース５０内に引き込まれることが分かる（マイナス側）。これに対して、本発明の処置具シース８は、ワイヤ７における屈曲形態での露出長をＡ２とすると、露出部の変位量δ２が（Ａ２−Ｌ）となって、図８（ｃ）に示すように、ワイヤ７が微小ながら処置具シース８より遠ざかることが分かる（プラス側）。
【００４９】
従来の処置具シース５０において、芯線７１の露出長（Ｌ）が屈曲時に小さくなる理由は、処置具シース５０を屈曲させると、コイル素線間に隙間が生じて全長が長くなった分だけ処置具シース５０内へ芯線７１が引き込まれると考えられる。
本発明の処置具シース８において、ワイヤ７の露出長（Ｌ）が軽微ながら長くなる理由は、処置具シース８を屈曲させると、中空コイル体１８のコイル素線１８ａ、１８ｂ間に、微少相対滑り移動が生じるため、隙間が生じず全長が殆ど変化することがなくなって、ワイヤ７が処置具シース８内に最短距離で配置されると考えられる。なお、比較のため、従来の芯線７１および本発明のワイヤ７の露出長は、直線状態では同一の記号Ｌを用いて表した。
【００５０】
処置具シース８がコイル素線１８ａとコイル素線１８ｂとからなる中空コイル体１８であることに伴い、生体組織採取時、処置具シース８の先端部８ａが変動することがなくなり、所定量だけ正確に生体組織を採取することができる。
図７に示すように単条密着巻きコイルスプリング体からなる従来の処置具シース５０を用いると、生体組織採取時、採取カップ５２のワイヤ５１にプッシュ操作力を加えるのみで、処置具シース５０の先端部５０ａが、図９に示すように心臓心室中隔Ｊ側（採取方向）に約６ｍｍ移動する。また、逆にワイヤ５１にプル操作力を加えると、処置具シース５０の先端部５０ａは逆方向に約１３ｍｍ移動するといった挙動を示す。
【００５１】
このため、従来の処置具シース５０では、心臓心室Ｈ内における所望の位置で、生体組織を採取しようとして、ワイヤ５１のプッシュ操作時、処置具シース５０の先端部５０ａが揺動変位して、採取カップ５２が生体組織に食い込むようになり、過分の生体組織を採取してしまう虞がある。一方、ワイヤ５１にプル操作力を加えると、処置具シース５０の先端部５０ａが心臓心室壁側に移動して心室壁を傷つける虞がある。
このプッシュ・プル操作力のみにより、処置具シース５０の先端部５０ａに変動・揺動が生じる理由は、処置具シース５０の単条密着巻きコイルスプリング体におけるコイル素線間に隙間Ｇが生じているためと考えられる｛図７（ａ）参照｝。
【００５２】
これに対して、コイル素線１８ａとコイル素線１８ｂとからなる中空コイル体１８の処置具シース８では、コイル素線１８ａ、１８ｂ間の微少相対滑り移動により先端部８ａの屈曲時に屈曲形態に追従して変位する｛図８（ａ）、（ｂ）参照｝。このため、中空コイル体１８のコイル素線１８ａ、１８ｂとの間に隙間が生じず、処置具シース８の先端部８ａの変動・揺動を最小限に抑え得て、所定量の生体組織を正確に採取することが可能となる。
【００５３】
医療用処置具の使用時、超音波三次元エコーにおいて、中空コイル体１８のコイル素線１８ａ、１８ｂが超音波反射部を形成するので、モニターに明瞭な超音波観察画像を描出させることができる。
処置具シース８における先端部８ａの屈曲時、中空コイル体１８のコイル素線１８ａ、１８ｂ間には外周側で隙間を生じず、曲率半径の小さな内周側では、図１０（ａ）、（ｂ）に示すように、微少相対滑り移動により奥方が広く外周部が狭いテーパ状の深さを有する凹部２０を形成する。
【００５４】
一般に、モニターに超音波画像を明瞭に描出させるには、例えば特許文献４に示すように、円環状の溝をＹＡＧレーザーで凹状加工を施して反射エコー部を加工する必要があるが、この発明では中空コイル体１８の屈曲時、処置具シース８を曲げるのみで、反射エコー部として凹部２０が自動的に生じる。このため、生体組織採取位置で、処置具シース８において曲げを生じている先端部８ａを超音波画像として明瞭に描出させることができる。しかも、処置具シース８を曲げるのみで、凹部２０を形成できるため、反射エコー部を別途に加工する必要がなくなる。
【００５５】
また、図１１に示すように、処置具シース８の先端部８ａに樹脂被覆などの薄膜コーティング２１を用いることにより、凹部２０のなす反射エコー部が反射エアー層として機能し、モニターに鮮明な超音波観察画像を描出させることが可能となる。
この理由として、凹部２０は生体組織と比較して超音波を反射させ易く、生体組織と反射エアー層との間で相互の音響インピーダンス（生体組織密度ρと音速ｃとの積ρｃ）の差を非常に大きくさせることが挙げられる。このため、生体組織と反射エアー層との境界面で殆どの超音波を反射させることができる上に、凹部２０は連続した螺旋溝を形成し、連続した処置具シース８における先端部８ａの屈曲形態を明瞭な超音波観察画像として認識することができる。
【００５６】
このため、処置具シース８の先端部８ａを屈曲させるのみで、図１０に示す凹部２０を反射エコー部として自動的に形成させることができ、かつ最も重要な生体組織採取位置を鮮明に視覚認識させることが可能となる。これにより、とりわけ細径化された処置具８の先端部８ａに反射エコー層を形成する際、薄膜コーティング２１を用いることは極めて有効な技術手段と考えられる。
【００５７】
図２及び図４に示す如くコイル素線１８ａ、１８ｂ（１９ａ、１９ｂ）から成る先端部の中空コイル体１８（１９）と手元側の中空撚線コイル体１７とを連結して組合わせた処置具シース８では、下記の作用効果が得られる。
すなわち、生体組織採取位置を変更するため、処置具シース８を回転操作する際、その回転操作に基づく処置具シース８における先端部８ａの回転追従性が向上し、かつ回転・位置保持機構１２による先端部８ａの安定した保持機能を維持することができる。
【００５８】
図１２（ａ）の如く、従来用いられている単条密着巻きコイルスプリング体５４を回転させると、その回転伝達力は伝達距離が長尺になるほど弱まり、図１２（ｂ）に示すように単条密着巻きコイルスプリング体５４における屈曲部の各接点及び各部位区間５４ａ、５４ｂ、５４ｃ毎に異なる不均一な捻じり溜まりが発生する。捻じり溜まりが過剰になると、単条密着巻きコイルスプリング体５４である処置具シースの先端部が急回転を起こしたり、または座屈変形して、その先端部を所望の生体組織採取位置に正確にセットすることが困難となる。
【００５９】
この理由としては、単条密着巻きコイルスプリング体５４では、これに対する回転力が単条、つまり一本の線材の巻回力により支えられる構造のため、回転力が増加すると、座屈変形等が発生し易くなって安定力を欠くためと考えられる。
これに対して、処置具シース８の中空撚線コイル体１７では、図１２（ｃ）、（ｄ）に示す単条密着巻きコイルスプリング体５４の場合と比較して、図１２（ｅ）、（ｆ）に示す如く、多条線を用いることにより、回転方向に対するコイル素線の傾斜角（ω）が大となり、回転力を先端部８ａへ伝達させ易い構造のため、処置具シース８における先端部８ａの円滑な回転を実現させることができる。
【００６０】
処置具シース８の先端部８ａを採取カップ９の開口方向に直交する状態で略弓状に付形することにより下記の作用効果が得られる。
【００６１】
図１３（ａ）、（ｂ）に示すようにシースコイル体５５の先端部を付形させる付形方法としては、先ずシースコイル体５５をステンレス鋼線材（ＳＵＳ３０４）の巻回により形成し、シースコイル体５５内に芯金（図示せず）を挿入して所定の形状に曲成する。あるいは、シースコイル体５５を、所定形状の凹み部を設けた金型（図示せず）に配置させて処置具シース８の形状に合致するように曲成する。そして、その状態で、炉内に入れたシースコイル体５５に熱処理（加熱温度６００°×５分）を施し、その後に電界研磨を施す。電界研磨処理時、シースコイル体５５は、芯金を挿入したままでも抜き取っていてもどちらでもよい。
【００６２】
処置具シース８の先端部８ａを採取カップ９の開口方向に直交させたので、生体組織採取の際、図１４（ａ）に示す比較例と異なり、処置具シースＲが採取カップｑを心臓心室中隔Ｊに押し当てながら開口させてしまうことがない。すなわち、採取カップ９は、図１４（ｂ）に示すように開口するため、生体組織採取位置が不用意に変動することがなく、心臓心室中隔Ｊを傷つけることもない。このため、所望の生体組織の正確な採取に役立つことができる。
なお、上記で述べたコイル素線１８ａとコイル素線１８ｂとからなる中空コイル体１８についての作用効果は、コイル素線１９ａとコイル素線１９ｂとからなる中空コイル体１９についても同様である。
【実施例２】
【００６３】
図１５はこの発明の実施例２を示す。
実施例２が実施例１と異なるところは、進退操作により処置具シース８の先端部８ａにおける付形形状を可変とするストレート状の中空パイプ２２を設けたことである｛図１５（ａ）、（ｂ）参照｝。中空パイプ２２は、ワイヤ７に外装されて処置具シース８内に摺動変位可能に挿入されている。
【００６４】
中空パイプ２２の手元端部は収納細管２内に位置し、先端部２２ａは処置具シース８の先端部８ａまで延出されている。収納細管２には、ストローク長さ（Ｌ１）が２５ｍｍ程度に設定された制限スリット２３がスリット５の直前に位置する部分に形成されている。制限スリット２３を介して中空パイプ２２に接続された摘み部２４は、制限スリット２３の長さ範囲内で操作可能に設けられている。この摘み部２４は、螺合構造となっており、任意のストローク長さの位置で回転を受けると、摘み部２４が収納細管２を押圧して所望の位置に固定され得るようになっている。
【００６５】
回転・位置保持機構１２のロックリングナット１３、中間リングナット１５、絞り管部１４及び回動リングナット１６の取付構造は、図１（ａ）に示す実施例１と同様になっている。
【００６６】
処置具シース８とロングシース１１との合体曲成形状についても、実施例１で述べたものと同様である。医療処置具の操作にあたっては、手元操作部１の摘み部２４を手元側に引くと、中空パイプ２２が処置具シース８に対して手元側に摺動変位する｛図１５（ｂ）の矢印Ｍ参照｝。
【００６７】
この時、付形によりロングシース１１の先端部１１ａの曲率半径が処置具シース８の先端部８ａの曲率半径よりも大となる関係に設定していることから、中空パイプ２２の進退操作により、処置具シース８の先端部８ａにおける付形形状が可変となる｛図１５（ｃ）参照｝。
すなわち、摘み部２４を矢印Ｍ方向に引き込む操作量の違いにより、処置具シース８の先端部８ａに対する中空パイプ２２の延出量Ｋが変わり、処置具シース８における先端部８ａの付形形状を所望の曲率半径に変更させることが可能となる。
【００６８】
実施例２において、心臓心室Ｈ内で回転・位置保持機構１２の操作を行うには、下記の手順を踏む。
（イ）先ず、実施例１の場合と同様に、ロングシース１１内に処置具シース８を挿入し、処置具シース８の先端部８ａをロングシース１１の先端部１１ａから露出しないようにしておく。
（ロ）この状態で、ロックリングナット１３を中間リングナット１５に締め付け、ロングシース１１に処置具シース８を仮固定する。この時、管状ソケット１０に回動リングナット１６を固定し、さらに中間リングナット１５を回動リングナット１６に固定している。（ハ）ついで、ロングシース１１を処置具シース８と一体的に進退・回転させて、ロングシース１１における先端部１１ａの曲成形状部を心臓心室中隔Ｊの方向に向ける（図１６参照）。
【００６９】
（ニ）そして、ロックリングナット１３を緩めて、ロングシース１１に対して処置具シース８を進出させておく。この時、摘み部２４を制限スリット２３に沿って前後に移動調整して中空パイプ２２を進退させたり、またはロングシース１１を処置具シース８と一体的に回転させて処置具シース８の先端部８ａの屈曲度合い等を生体組織採取位置に合致させる。この後、摘み部２４を締め付けて中空パイプ２２を収納細管２に固定する。
（ホ）手元操作部１を押して、ワイヤ７を介して採取カップ９を開き、心臓心室中隔Ｊの生体組織採取を行う（図１６参照）。
（ヘ）生体組織を採取する位置を変更する場合、摘み部２４を一時的に緩めて中空パイプ２２を進退させたり、またはロングシース１１を処置具シース８と一体的に回転させて心臓心室中隔Ｊに対する採取位置を所望にセットする。セット後は、（ホ）で述べたものと同様な手順を繰り返す。
【００７０】
実施例２では下記の作用効果が得られる。
ロングシース１１の摺動変位によらず、中空パイプ２２の摺動により処置具シース８の先端部８ａを可変としているので、図１６に示すようにロングシース１１の位置に影響されることなく、処置具シース８を単独で直線状に移動させる長いストロークｈにより心臓心室Ｈの深部に侵入させることができる。
【００７１】
これにより、狭い採取空間ｍ内でも一定の剛性を保持しながら処置具シース８の先端部８ａを前進させることができる。また、ロングシース１１との組合わせにより、処置具シース８における先端部８ａの形状可変、及び回転・位置保持機構１２をセットロック手段として生体組織を広範囲に採取できる効果については実施例２と同様である。
【実施例３】
【００７２】
図１７はこの発明の実施例３を示す。
実施例３では、図１７（ａ）、（ｂ）、（ｃ）、（ｄ）に示すように処置具シース８の先端部８ａを実施例１の弓形状に代わって、捩じりピッチの比較的大きなスパイラル立体形状に付形している。
処置具シース８の先端部８ａをスパイラル立体形状に付形したことにより下記の作用効果が得られる。処置具シース８の先端部８ａの付形方法については、スパイラル立体形状であることを除けば、略弓状に付形した場合と同様である。
【００７３】
スパイラル立体形状となった処置具シース８の先端部８ａは、図１７（ａ）に示すように進行方向に対する障害物（例えば、心臓心室Ｈ内の腱索や乳頭筋の細長部位網等）を避けながら迂回して所望位置の生体組織に到って生体組織を採取することができる。
また、図１８に示すように生体組織の採取部位６０が曲面形状をなしている場合、その曲面に沿って処置具シース８の先端部８ａを優しく滑らかな接触状態で移動させて所望の生体組織を採取することができる。
なお、処置具シース８の先端部８ａは、変形例として図１９に示すように複数の関節部Ｔにより内方に折り曲がる多関節指状に付形してもよい。
【００７４】
［変形例］
ロングシース１１の先端開口部は、内径が手元側から先端側にかけて次第に狭くなるように漸減するテーパ状に形成してもよい。これにより、ロングシース１１と処置具シース８との隙間に対する多量の液体流入を防ぎ、かつ反射エコー部としての凹部２０のエコー効果を一層高めることができる。ロングシース１１の材質としては、ポリアミド、ポリエステル及びこれらのエラストマー等を用い、寸法としては外径が３ｍｍで肉厚が０．１〜０．２ｍｍのものを適用しても良い。
【００７５】
また、処置具シース８のコイル素線１８ａ、１８ｂの材質は、ステンレス鋼線材（ＳＵＳ３０４）を用い、コイル素線１８ａの直径寸法を０．３ｍｍとし、コイル素線１８ｂの底辺寸法を０．３５ｍｍとしても良い。
【００７６】
コイル素線１９ａ、１９ｂの材質も上記と同様で、コイル素線１９ａの略半円形状の直径寸法を０．４５ｍｍとし、コイル素線１９ｂの底辺寸法を０．３５ｍｍとしても良い。なお、中空コイル体１８、１９のコイル成形加工を容易にするため、コイル素線１８ａ、１８ｂ（１９ａ、１９ｂ）の一方を熱処理して引張強さが８０〜１２０ｋｇｆ／ｍｍ2 となる軟質材にしても良い。
【００７７】
さらに、中空コイル体１８（１９）に連結される中空撚線コイル体１７は、線径（ｄ）が０．３３ｍｍのステンレス鋼製線材１７ａを複数本（例えば１２本）撚合し、図２０に示すように外径（Ｄ）が１．６ｍｍとなるように構成しても良い。
【００７８】
この際、中空コイル体１８（１９）及び中空撚線コイル体１７の外周部をスウェージング加工により縮径させてもよい。これにより、中空コイル体１８（１９）及び中空撚線コイル体１７において、隣接するコイル素線同士を一層密着させることができて、全体の外径が均一で真直性の高い中空コイル体を実現させ、良好なトルク応答性、トルク伝達性及び高い押し込み特性を確保することができる。
【産業上の利用可能性】
【００７９】
この発明の医療用処置具では、ロングシースの先端部の曲率半径を処置具シースの先端部の曲率半径よりも大に設定しているので、処置具シースを内部に納めたロングシースは、心臓心室内部の形状に沿うように曲成変形する。このため、心室壁等を傷つける虞れがなく、心臓心室内部で処置具シースの進退操作を容易にできる便宜が得られ、効率的な医療実現の有益性から医療界における需要者の増加に伴い、化学・機械部品の流通を介して機械産業界へ広く適用することがきる。
【図面の簡単な説明】
【００８０】
【図１】（ａ）は医療用処置具を一部断面して示す平面図、（ｂ）、（ｃ）は処置具シースにおける先端部の側面図及び正面図、（ｄ）、（ｅ）は先端部の付形方向が採取カップの開口方向と直交することを示す正面図である（実施例１）。
【図２】中空コイル体を一部断面して示す正面図である（実施例１）。
【図３】（ａ）はロックリングナットの部分縦断面図及び正面図、（ｂ）は絞り管部の部分縦断面図及び正面図、（ｃ）は中間リングナットの部分縦断面図及び正面図、（ｄ）は回動リングナットの部分縦断面図及び正面図である（実施例１）。
【図４】中空コイル体を一部断面して示す側面図である（変形例）。
【図５】中空コイル体を一部断面して示す側面図である（変形例）。
【図６】中空コイル体を一部断面して示す側面図である（変形例）。
【図７】（ａ）は従来の医療用処置具シースの要部を示す縦断面図、（ｂ）は従来の医療用処置具シースの要部を一部断面して示す平面図である。
【図８】（ａ）は中空コイル体の部分縦断面図（実施例１）、（ｂ）は屈曲時の中空コイル体を示す部分縦断面図（実施例１）、（ｃ）は屈曲時において、従来の単条密着巻きコイルスプリングおよび実施例１の中空コイル体の変位量を示す概略図、（ｄ）は従来の単条密着巻きコイルスプリングおよび実施例１の中空コイル体の変位量と総曲げ角度との関係を示すグラフである。
【図９】従来のシースコイル体の作用を示す概略図である。
【図１０】（ａ）は中空コイル体の作用を示す部分縦断面図、（ｂ）はその部分拡大縦断面図である（実施例１）。
【図１１】薄膜コーティングを施した中空コイル体の部分縦断面図である（実施例１）。
【図１２】（ａ）、（ｂ）は従来の単条密着巻きコイルスプリング体の作用を示す説明図、（ｃ）は従来の単条密着巻きコイルスプリング体を一部断面して示す正面図、（ｄ）は従来の単条密着巻きコイルスプリング体の横断面図、（ｅ）は中空撚線コイル体を一部断面して示す正面図、（ｆ）は中空撚線コイル体の横断面図である（実施例１）。
【図１３】（ａ）、（ｂ）はシースコイル体の形付け方向を示す説明図である（実施例１）。
【図１４】（ａ）は比較例における採取カップの作用を示す説明図、（ｂ）は実施例１における採取カップの作用を示す説明図である。
【図１５】（ａ）は医療用処置具を一部省いて示す側面図、（ｂ）は一部破断して示す医療用処置具の平面図、（ｃ）は処置具シースにおける先端部を一部断面して示す側面図である（実施例２）。
【図１６】処置具シースの先端部の作用を示す説明図である（実施例２）。
【図１７】（ａ）は処置具シースの作用を示す説明図、（ｂ）、（ｃ）は処置具シースにおける先端部の側面図、（ｄ）は処置具シースにおける先端部の正面図である（実施例３）。
【図１８】処置具シースにおける先端部の作用を示す説明図である（実施例３）。
【図１９】（ａ）、（ｂ）、（ｃ）は、操作により変位する態様を逐次示す処置具シースの先端部における側面図である（変形例）。
【図２０】線径寸法及び外径寸法を設定した中空撚線コイル体の斜視図である（変形例）。
【符号の説明】
【００８１】
１    手元操作部
７    ワイヤ（芯線）
８    処置具シース
８ａ  先端部
９    採取カップ（先端処置具）
１１  ロングシース
１１ａ  ロングシースの先端部
１２  回転・位置保持機構
１３  ロックリングナット
１４  絞り管部
１５  中間リングナット
１６  回動リングナット
１７  中空撚線コイル体
１８、１９  中空コイル体
１８ａ、１８ｂ  コイル素線
１９ａ、１９ｂ  コイル素線
２２  中空パイプ
２２ａ  中空パイプの先端部
Ｈ    心臓心室
Ｊ    心臓心室中隔
【図１】
2006247148.tif 000003
【図２】
2006247148.tif 000004
【図３】
2006247148.tif 000005
【図４】
2006247148.tif 000006
【図５】
2006247148.tif 000007
【図６】
2006247148.tif 000008
【図７】
2006247148.tif 000009
【図８】
2006247148.tif 000010
【図９】
2006247148.tif 000011
【図１０】
2006247148.tif 000012
【図１１】
2006247148.tif 000013
【図１２】
2006247148.tif 000014
【図１３】
2006247148.tif 000015
【図１４】
2006247148.tif 000016
【図１５】
2006247148.tif 000017
【図１６】
2006247148.tif 000018
【図１７】
2006247148.tif 000019
【図１８】
2006247148.tif 000020
【図１９】
2006247148.tif 000021
【図２０】
2006247148.tif 000022